(57)【要約】【課題】  一般受診者が、例えば、自身の症状について診療科目の判断ができないときであっても、適切な医療機関を探すのに適し、使い勝手に優れた医療機関検索システムを提供する。【解決手段】  端末１がインターネット２を介してサーバ３に接続された医療機関検索システムであって、診療科目、症状、病名、検査内容の各項目を検索対象とする検索手段１１と、診療科目、症状、病名、検査内容の各項目と医療機関とを各々対応させたデータベース３１と、前記検索手段１１により、データベース３１から選択された医療機関を表示する表示手段１２とを有する。【選択図】図１
2017194791.tif 000002
【特許請求の範囲】
【請求項１】
端末がインターネットを介してサーバに接続された医療機関検索システムであって、
診療科目、症状、病名、検査内容の各項目を検索対象とする検索手段と、
診療科目、症状、病名、検査内容の各項目と医療機関とを各々対応させたデータベースと、
前記検索手段により、データベースから選択された医療機関を表示する表示手段とを有することを特徴とする、医療機関検索システム。
【請求項２】
端末がインターネットを介してサーバに接続された医療機関検索システムの機能を実現させるプログラムであって、
診療科目、症状、病名、検査内容の各項目を検索対象とする検索機能と、
該機能を実現させるための、診療科目、症状、病名、検査内容の各項目と医療機関とを各々対応させたデータベースを検索対象とする機能と、
検索結果である医療機関を表示する表示機能とを実現させることを特徴とする、医療機関検索プログラム。
【発明の詳細な説明】
【技術分野】
【０００１】
本発明は医療機関検索システム及び医療機関検索プログラムに関し、詳細には、総合病院、個人病院、医院、クリニック等を示す医療機関での受診を希望する一般受診者が、自身に適切な医療機関を検索するために用いる技術に関する。
【背景技術】
【０００２】
特許文献１には、ユーザーの端末機とサーバがネットワークを介して接続されているネットワークサーバシステムにおける病院検索システムであって、検索時に検索条件としたい検索項目及び検索時における検索項目の検索優先順位がネットワークを介してサーバに入力されるステップと、サーバが、検索項目及び検索優先順位に基づいて、検索条件の組合せを作成するステップと、サーバが、サーバの記憶装置に格納されている病院情報データから、組合せに合致するデータを抽出して表示するステップとを含むことを特徴とする、病院検索手段が開示されている。
【発明の概要】
【発明が解決しようとする課題】
【０００３】
特許文献１に記載のシステムは、通常の医療機関の検索では、必須の検索項目（例えば、地域、診療科等。以下「必須検索項目」という）と可能であれば検索条件としたい項目（例えば、駐車場の有無、診療時間等。以下「選択検索項目」という）とに分かれていることに着目し、必須の検索項目を中心としてグループ化した検索項目の組合せを自動的に作成し、検索しようとする者が一度の検索条件の指定で目的とする医療機関を抽出することができることを可能にしたものである。
【０００４】
確かに、特許文献１に記載のシステムは、複数の条件を考慮できる点で、一般受診者が医療機関を選択するのに役立つシステムであるが、例えば、一般受診者が、自身の症状について適切な診療科目の判断ができないときに、適しているとはいえなかった。
【０００５】
従って、一般受診者が、例えば、自身の症状について診療科目の判断ができないときであっても、適切な医療機関を探すのに適し、使い勝手に優れた医療機関検索システムが望まれていた。
【課題を解決するための手段】
【０００６】
本発明の課題を解決するための手段は、下記のとおりである。
【０００７】
第１に、
端末がインターネットを介してサーバに接続された医療機関検索システムであって、
診療科目、症状、病名、検査内容の各項目を検索対象とする検索手段と、
診療科目、症状、病名、検査内容の各項目と医療機関とを各々対応させたデータベースと、
前記検索手段により、データベースから選択された医療機関を表示する表示手段とを有することを特徴とする、医療機関検索システム。
ここで、医療機関とは、総合病院、個人病院、医院、クリニック等の名称を問わず、医療行為を行う施設をいう。
また、データベースとは、診療科目に対応した医療機関を示すことは勿論、各症状や、各病名、各検査内容の各項目に応じて、対応可能な医療機関の検索を可能にするためのものである。
第２に、
端末がインターネットを介してサーバに接続された医療機関検索システムの機能を実現させるプログラムであって、
診療科目、症状、病名、検査内容の各項目を検索対象とする検索機能と、
該機能を実現させるための、診療科目、症状、病名、検査内容の各項目と医療機関とを各々対応させたデータベースを検索対象とする機能と、
検索結果である医療機関を表示する表示機能とを実現させることを特徴とする、医療機関検索プログラム。
【発明の効果】
【０００８】
本発明によれば、患者が自身の症状を検索項目として入力して検索しても、検索結果として、適切な医療機関が表示されるので、使い勝手に優れている。
【図面の簡単な説明】
【０００９】
【図１】本発明の医療機関検索システムの説明図である。
【図２】本発明に係る検索条件設定の際の初期画面の説明図である。
【図３】図２の画面における診療科目の選択画面の説明図である。
【図４】図３の画面から進んだ眼科の選択画面の説明図である。
【図５】図４の画面から進んだ眼科の検索結果の説明図である。
【図６】図５の画面から追加の検索条件で渋谷駅を設定した画面の説明図である。
【図７】図６の画面から進んだ検索結果の画面の説明図である。
【図８】図７の画面から追加の検索条件で日、祝日を選択した検索結果を示す画面の説明図である。
【図９】図２の画面における症状の選択画面の説明図である。
【図１０】図９の画面から進んだ画面の説明図である。
【図１１】図１０の画面から進んだ眼を選択した画面の説明図である。
【図１２】図１１の画面から進んだ症状一覧を示す画面の説明図である。
【図１３】図１２の画面で眼痛を選択して進んだ候補病名一覧の画面の説明図である。
【図１４】図１３の画面で眼精疲労を選択し、その結果を示す画面の説明図である。
【図１５】図１４の画面から追加の検索条件で渋谷駅を設定した画面の説明図である。
【図１６】図１５の画面から進んだ検索結果を示す画面の説明図である。
【図１７】図２の画面における眼の選択画面の説明図である。
【図１８】図１７の画面から進んだ眼の選択画面の説明図である。
【図１９】図１８の画面から進んだ病名一覧を示す画面の説明図である。
【図２０】図１９の画面で眼精疲労を選択し、その結果を示す画面の説明図である。
【図２１】図１９の画面で眼瞼下垂を選択し、その結果を示す画面の説明図である。
【図２２】図２１の画面から追加の検索条件で渋谷駅を設定した画面の説明図である。
【発明を実施するための形態】
【００１０】
以下、本発明を実施するための形態として、受診希望の患者が自身に適切な医療機関を検索する際に用いる、医療機関検索システムとそのシステムを実現するための医療機関検索プログラムについて、図面を参照しつつ具体的に説明する。
なお、ここでの説明は本発明が実施される一形態であることから、本発明は該当形態に限定されるものではない。
【００１１】
図１に示すように、本発明に係る医療機関検索システムは、端末１がインターネット２を介してサーバ３に接続されている。
【００１２】
前記端末１は、「診療科目」、「症状」、「病名」、「検査内容」の各項目の他に、「時間・曜日」、駅からの近さ、駐車場の有無等の「特徴」を示す項目を検索対象とする検索手段１１を実現するための入力機構、該検索手段１１により検索された検索結果を表示設定手段１２によって表示するためのディスプレイ等の表示機構を有している。
ここで、これらの手段を実現させるためのプログラムは、サーバ３にインストールされている。
【００１３】
前記サーバ３は、図示は省略するがＣＰＵと記憶手段を有し、インターネット２に接続された端末１からアクセス可能で、端末１において所望の画面表示を可能にするものである。
また、該サーバ３は、図示は省略する記録手段にデータベース３１を有している。
該データベース３１としては、図示するようにサーバ３に直接接続されたものを利用できる他に、図示は省略するがサーバ３とは別にインターネット２に接続されたものを利用することもできる。
【００１４】
また、前記データベース３１は、診療科目、症状、病名、検査内容の各項目と医療機関とを各々対応させたものであり、診療科目に対応した医療機関を示すことは勿論、各症状や、各病名、各検査内容の各項目に直接対応した医療機関を示すものである。
【００１５】
前記サーバ３は、前記端末１から入力された命令により、端末１の画面に、検索手段１１によって検索された結果を表示手段１２により表示するものである。
【００１６】
本発明に係る医療機関検索システムの画面は、インターネットを介してサービスを提供するサイトにアクセスすることで、端末１のディスプレイに表示される。
【００１７】
図２の画面において、「診療科目」から検索する場合には、該当項目を選択することで、図３に示す、各系列が表示された画面となる。
ここで、眼科が含まれる系を選択すると、図４に示す、眼科を含む選択画面となるので、「眼科」のチェックボックスをチェックした後で、検索する。
【００１８】
すると、図５に示すように、現在の検索条件として、診療科目に眼科と記載され、画面の上端側及び下端側に検索結果が３２１５件と表示される。
ここで、図６に示すように、追加の条件として、「路線・駅を選ぶ」から渋谷駅を選択した後で検索する。
【００１９】
その結果、図７に示すように、検索結果として１８件が示され、具体的な図示は省略するが、図７の画面下部をスクロールすることで、１８件の医療機関が表示される。
ここで、更に、図８に示すように、追加の条件として、日、祝のチェックボックスをチェックしてから検索すると、検索結果として７件の医療機関が表示される。
【００２０】
次に、図２の画面において、「症状から探す」から検索する場合には、始めに図９に示すように、大人、子ども、女性特有、男性特有、救急のカテゴリを示す画面が表示される。
ここで、「大人によく見られる症状」を選択すると、図１０に示すように、身体の部位毎に選択可能な画面が表示される。
【００２１】
更に、図１１に示すように、「眼」のチェックボックスをチェックして検索すると、図１２に示すように、症状一覧を示す画面が表示される。
ここで、「眼痛」のチェックボックスをチェックして選択すると、図１３に示すように、候補病名一覧の表示画面となる。
【００２２】
続けて、「眼精疲労」のチェックボックスをチェックして選択すると、図１４に示すように、検査内容に眼精疲労と記載され、図５と同様、画面の上端側及び下端側に検索結果が３２１５件と表示される。
ここで、図１５に示すように、追加の条件として、「路線・駅を選ぶ」から渋谷駅を選択した後で検索すると、図１６に示すように、図７と同様、１８件の検索結果が示される。
【００２３】
次に、図２の画面において、「病名から探す」から検索する場合には、始めに図１７に示すように、大人、子ども、女性特有、男性特有のカテゴリを示す画面が表示される。
ここで、図１８に示すように、「大人によく見られる症状」から眼のチェックボックスをチェックした後で検索すると、図１９に示すように、病名一覧を示す画面が表示される。
更に、眼精疲労のチェックボックスをチェックすることで病名を選択すると、図２０に示すように、検査内容に眼精疲労と記載され、この条件で検索すると、図５、図１４と同様、画面の上端側及び下端側に検索結果が３２１５件と表示される。
【００２４】
なお、図１９の画面において、眼瞼下垂のチェックボックスをチェックすることで病名を選択すると、図２１に示すように、検査内容に眼瞼下垂と記載され、この条件で検索すると、図５、図１４、図２０と異なり、画面の上端側及び下端側に検索結果が２０７８件と表示される。
さらに、追加の検索条件で渋谷駅を設定して検索すると、図２２に示すように、２３件の検索結果が示される。
【００２５】
上記の検索結果から、本発明によると、診療科目、症状、病名のいずれの項目によって検索しても、検索結果として、適切な医療機関がダイレクトに表示され、使い勝手に優れている。
すなわち、本発明によると、患者が自身に適切な医療機関を検索する際に、診療科目から探す場合は勿論のこと、該当の診療科目が不明であっても、症状、病名、検査内容のいずれかの項目について検索することで、各項目に対応可能な適切な医療機関を探すことができ、使い勝手に優れている。
【符号の説明】
【００２６】
１  端末
１１  検索手段
１２  表示設定手段
２  インターネット
３  サーバ
３１  データベース
【先行技術文献】
【特許文献】
【００２７】
【特許文献１】特開２００４−１６４３９８号公報
【図１】
2017194791.tif 000003
【図２】
2017194791.tif 000004
【図３】
2017194791.tif 000005
【図４】
2017194791.tif 000006
【図５】
2017194791.tif 000007
【図６】
2017194791.tif 000008
【図７】
2017194791.tif 000009
【図８】
2017194791.tif 000010
【図９】
2017194791.tif 000011
【図１０】
2017194791.tif 000012
【図１１】
2017194791.tif 000013
【図１２】
2017194791.tif 000014
【図１３】
2017194791.tif 000015
【図１４】
2017194791.tif 000016
【図１５】
2017194791.tif 000017
【図１６】
2017194791.tif 000018
【図１７】
2017194791.tif 000019
【図１８】
2017194791.tif 000020
【図１９】
2017194791.tif 000021
【図２０】
2017194791.tif 000022
【図２１】
2017194791.tif 000023
【図２２】
2017194791.tif 000024